Podtech/llm-jp-corpus-v4-ja_patent huggingface dataset:
(57)【要約】【課題】  防塵ガラス清掃に際し、コストをかけず簡単に、且つ清掃精度を上げることが可能な光ビーム走査装置を提供する。【解決手段】  ハウジング１に設けられた防塵ガラス４をハウジング１に対して脱着自在とした光ビーム走査装置。【選択図】        図１
2006106631.tif 000002
【特許請求の範囲】
【請求項１】
ポリゴンミラー、結像光学系、及び防塵ガラスを備えたハウジングを備えた光ビーム走査装置において、前記防塵ガラスを前記ハウジングに対して脱着自在としたことを特徴とする光ビーム走査装置。
【請求項２】
前記防塵ガラスの外側面を清掃する清掃手段を有することを特徴とする請求項１に記載の光ビーム走査装置。
【請求項３】
前記清掃手段は、前記防塵ガラスに接触する弾性部材と、弾性部材を防塵ガラス側に規制する規制部材と、で構成されていることを特徴とする請求項２に記載の光ビーム走査装置。
【請求項４】
前記清掃手段は、複数の前記弾性部材を可動に設け、前記防塵ガラスの脱着時にいずれかの弾性部材が防塵ガラスに接触するように構成されていることを特徴とする請求項３に記載の光ビーム走査装置。
【請求項５】
前記清掃手段は前記ハウジングの外側に設置してあることを特徴とする請求項２に記載の光ビーム走査装置。
【請求項６】
請求項１乃至５いずれか一項に記載の光ビーム走査装置を備えたことを特徴とする画像形成装置。
【発明の詳細な説明】
【技術分野】
【０００１】
本発明は、デジタル方式の画像形成装置に適用される光ビーム走査装置に関し、さらに詳しくは、レーザー光の照射口を防塵ガラスで覆っている光ビーム走査装置に関する。
【背景技術】
【０００２】
現在の光ビーム走査装置に設置されている防塵ガラスの清掃は大きく分けて自動清掃と手動清掃との２種類に分けられる。自動清掃に関連する技術として、例えば特許文献１乃至６がある。
【特許文献１】特開平０７−１２９０６０号公報
【特許文献２】特開平０７−２３９６０４号公報
【特許文献３】特開平０９−０８０８７５号公報
【特許文献４】特開２００１−２８１７７０公報
【特許文献５】特開２００２−２６７９８３公報
【特許文献６】特開２００２−２６８３４１公報
【発明の開示】
【発明が解決しようとする課題】
【０００３】
自動清掃の場合は、清掃周期管理や清掃自体を機械が行っているので、人の手を煩わすこと無く確実に防塵ガラス上の清掃を行えるが、自動制御システム開発や部品点数が増えることによるコストアップ、レイアウトの制約等が自動清掃機構設置の障害となっている。
手動の場合は、清掃道具を用いて防塵ガラスを清掃していたが、手拭時のガラス破損のおそれがあり、また、繰り返し使用される清掃道具によって一度は拭き取った埃をまた防塵ガラスに戻してしまう可能性があった。
本発明は、防塵ガラス清掃に際し、コストをかけず簡単に、且つ清掃精度を上げることが可能な光ビーム走査装置を提供することを目的とする。
【課題を解決するための手段】
【０００４】
上記目的を達成するために、請求項１記載の発明では、ハウジングに設けられた防塵ガラスをハウジングに対して脱着自在とした光ビーム走査装置を最も主要な特徴とする。
請求項２記載の発明では、防塵ガラスの清掃手段を有する光ビーム走査装置を主要な特徴とする。
請求項３記載の発明では、清掃手段は、防塵ガラスに接触する弾性部材と、弾性部材を防塵ガラス側に規制する規制部材で構成されている請求項２に記載の光ビーム走査装置を主要な特徴とする。
請求項４記載の発明では、複数の弾性部材を可動に設け、防塵ガラス脱着時、いずれかの弾性部材が防塵ガラスに接触する請求項３に記載の光ビーム走査装置を主要な特徴とする。
請求項５記載の発明では、清掃手段はハウジングの外側に設置してある請求項２に記載の光ビーム走査装置を主要な特徴とする。
請求項６記載の発明では、請求項１乃至５いずれか一項に記載の光走査装置を備えた画像形成装置を主要な特徴とする。
【発明の効果】
【０００５】
本発明の光ビーム走査装置は、防塵ガラスが脱着可能であるので、画像形成装置内にある埃やゴミ、電子写真プロセスを利用してトナー像を形成させる時に飛散したトナーが防塵ガラス上に付着・堆積しても、容易に防塵ガラスの清掃ができる。
また本発明では弾性部材が常時防塵ガラスに接しているので、防塵ガラスの脱着（抜差し）と同時にガラス表面の清掃ができ、清掃時の防塵ガラス破損を防止できる。
さらに弾性部材がハウジングの外側にあるので弾性部材に付いた異物を容易に除去でき、常に異物が無い状態の弾性部材で防塵ガラスを清掃することが可能である。
【発明を実施するための最良の形態】
【０００６】
以下、本発明の実施の形態を図面に従って説明する。
図１は本発明の第１の実施形態に係る光ビーム走査装置の概略構成図である。光ビーム走査装置は、ハウジング１内に、ポリゴンミラー２、複数の結像光学系３、防塵ガラス４を備えており、光ビーム５が感光体６上を走査するようになっている。ここで防塵ガラス４は、ハウジング内外を遮蔽する手段であり、ハウジングより脱着可能な構成となっている。
図２は本発明の第２の実施形態に係る光ビーム走査装置の要部構成図である。防塵ガラス清掃手段としては弾性部材１１が、防塵ガラス外面側（感光体６側）に常時接するように配置されていて、規制部材１２により防塵ガラス４から離反しないように規制されている。
図３〜５は本発明の第３の実施形態に係る光ビーム走査装置の要部構成図である。図３、図４、図５は防塵ガラス着脱動作時の弾性部材１１の動作態様を示す。弾性部材１１は回転体１３の２つの面に取り付けられていて、防塵ガラス４をハウジング１に対して着脱するときに、必ずいずれかの弾性部材１１の一方がハウジングに接触するようになっている。また弾性部材１１はハウジング１の外側に配置されている。回転体１３は、支持部材２０に対して軸２１によって回動自在に支持されている。
弾性部材１１は、防塵ガラス４をハウジング１１と支持部材２０との間の隙間から抜き取る時（図４）に接する部分と、挿入時（図５）に接する部分と同じ材質、例えばスポンジ材を使用しても問題は無いが、抜き取り時に接触するのはスポンジ材、挿入時接触するのは除電効果のあるブラシとすれば、防塵ガラス挿入時の摩擦で発生する静電気を除去でき、異物が付着し難くさせることが可能となる。
なお、本発明の光ビーム走査装置は、複写機、プリンタ、ファクシミリ装置等の画像形成装置の光書き込み装置に適用することが出来る。
【図面の簡単な説明】
【０００７】
【図１】本発明の第１の実施形態に係る光ビーム走査装置の概略構成図。
【図２】本発明の第２の実施形態に係る光ビーム走査装置の要部構成図。
【図３】本発明の第３の実施形態に係る光ビーム走査装置の要部構成図。
【図４】本発明の第３の実施形態に係る光ビーム走査装置の要部構成図。
【図５】本発明の第３の実施形態に係る光ビーム走査装置の要部構成図。
【符号の説明】
【０００８】
１  ハウジング
２  ポリゴンミラー
３  結像光学系
４  防塵ガラス
５  光ビーム
６  感光体
【図１】
2006106631.tif 000003
【図２】
2006106631.tif 000004
【図３】
2006106631.tif 000005
【図４】
2006106631.tif 000006
【図５】
2006106631.tif 000007